(57)【要約】【課題】監視対象機器の物理的状態値を計測した計測データを外部記憶媒体に出力可能なデータ計測装置において、作業時間を短縮し、作業効率を向上させること。【解決手段】計測データを一時的に保存する記憶部７と、複数の外部記憶媒体３を接続することができ、当該複数の外部記憶媒体３との間で計測データの入出力を行うデータ入出力部８と、複数の外部記憶媒体３の接続設定を行うとともに、データ入出力部８に接続された複数の外部記憶媒体３の接続情報および計測データの計測状態を表示する接続制御設定部５と、記憶部７と接続制御設定部５にて指定された出力先の外部記憶媒体３との間の計測データの授受に関する入出力制御を行う制御部６とを備える。【選択図】    図１
2009253897.tif 000002
【特許請求の範囲】
【請求項１】
監視対象機器の物理的状態値を計測した計測データを外部記憶媒体に出力可能なデータ計測装置において、
前記計測データを一時的に保存する記憶部と、
複数の外部記憶媒体を接続することができ、当該複数の外部記憶媒体との間で前記計測データの入出力を行うデータ入出力部と、
前記複数の外部記憶媒体の接続設定を行うとともに、前記データ入出力部に接続された前記複数の外部記憶媒体の接続情報および前記計測データの計測状態を表示する接続制御設定部と、
前記記憶部と前記接続制御設定部にて指定された出力先の外部記憶媒体との間の前記計測データの授受に関する入出力制御を行う制御部と、
を備えたことを特徴とするデータ計測装置。
【請求項２】
前記計測データは、一または複数の計測データから成り、前記制御部は、当該計測データの一部を、前記接続制御設定部にて出力先が指定された複数の外部記憶媒体のうちの一の外部記憶媒体に保存し、残りの計測データを、他の外部記憶媒体に逐次保存することを特徴とする請求項１に記載のデータ計測装置。
【請求項３】
前記計測データは、複数の計測データから成り、当該複数の計測データのそれぞれは、前記接続制御設定部にて出力先が指定された複数の外部記憶媒体のうちの一の外部記憶媒体に個々に保存されることを特徴とする請求項１に記載のデータ計測装置。
【請求項４】
前記計測データは、一または複数の計測データから成り、前記接続制御設定部にて同一の計測データに対して複数の出力先が指定された場合、当該複数の出力先の外部記憶媒体のそれぞれに当該同一の計測データが保存されることを特徴とする請求項１に記載のデータ計測装置。
【請求項５】
前記データ入出力部の任意の場所にプリンタを接続することが可能であり、前記データ計測装置の操作履歴を、前記プリンタを介して出力することを特徴とする請求項１〜４のいずれか１項に記載のデータ計測装置。
【請求項６】
前記データ入出力部は任意の場所にモデムを接続することが可能であり、前記データ計測装置が異常を検出したときに、所定の場所に登録された連絡先に警告メッセージを通知することを特徴とする請求項１〜５のいずれか１項に記載のデータ計測装置。
【発明の詳細な説明】
【技術分野】
【０００１】
本発明は、メモリカード等の外部記憶媒体を用いて、計測装置が計測したデータをオフライン（通信回線を使わない）でデータ収集装置に受け渡すことができるデータ計測装置に関するものである。
【背景技術】
【０００２】
従来の計測装置として、例えば下記特許文献１に示される計測装置（血圧測定機能付き脈波計）は、計測部、操作部、制御部、メモリ部および表示部が一体的に構成され、計測データを制御部等で処理し、その処理結果を表示部に表示することが可能である。また、この計測装置には、メモリカード等の外部記憶媒体を接続する箇所が一つ設けられており、計測データをこの外部記憶媒体に保存して持ち出すことが可能である。なお、この種の計測装置は、比較的小規模な特定用途向けの計測装置であるため、計測データの大きさ（量）に対する認識は、一つの外部記憶媒体に保存できる程度のものが念頭に置かれているに過ぎなかった。したがって、小規模のデータを扱う従来の計測装置では、外部記憶媒体の接続口として高々一つを備えていれば充分であった。
【０００３】
【特許文献１】特開平５−２４５１１９号公報
【発明の開示】
【発明が解決しようとする課題】
【０００４】
一方、産業界の一般的な計測装置は、上述した計測装置より大量のデータを計測している場合が多い。また、無人の場所に設置され、計測データを採取する部分（計測装置）と、採取したデータを分析する部分（データ収集装置）とが別々の場所に設置されていることもある。
【０００５】
このような設置環境の場合、計測装置とデータ収集装置との間のデータ授受に通信回線を使用することがデータ処理の即時性という点では最前であるが、現場の環境条件ならびに設備導入費用および回線維持費用等の経済的な制約から通信回線を設けることができないことが多く、メモリカード等の取り扱いが簡便な外部記憶媒体を用いたデータ授受がなされることの方が多かった。
【０００６】
その一方で、上記特許文献１に示されるような小規模のデータを扱う計測装置を大規模なデータを扱う計測装置として使用した場合には、外部記憶装置の記憶容量が少ないため、専任係員が外部記憶媒体を何度も回収しなければならなかった。その結果、計測装置とデータ収集装置との間の往来が多くなって、作業時間が長くなる、あるいは交換作業の際に操作ミスをする、という課題があった。
【０００７】
また、外部記憶媒体の容量に合わせるために、内部メモリに保存された計測データの一部を削除してから、外部記憶媒体に保存することもよく行われており、作業効率が悪いという課題もあった。
【０００８】
本発明は、上記に鑑みてなされたものであって、作業時間を短縮すること、作業効率を向上させること、が可能なデータ計測装置を得ることを目的とする。
【課題を解決するための手段】
【０００９】
上述した課題を解決し、目的を達成するために、本発明は、監視対象機器の物理的状態値を計測した計測データを外部記憶媒体に出力可能なデータ計測装置において、前記計測データを一時的に保存する記憶部と、複数の外部記憶媒体を接続することができ、当該複数の外部記憶媒体との間で前記計測データの出力および取り込みを行うデータ入出力部と、前記複数の外部記憶媒体の接続設定を行うとともに、前記データ入出力部に接続された前記複数の外部記憶媒体の接続情報および前記計測データの計測状態を表示する接続制御設定部と、前記記憶部と前記接続制御設定部にて指定された出力先の外部記憶媒体との間の前記計測データの授受に関する入出力制御を行う制御部と、を備えたことを特徴とする。
【発明の効果】
【００１０】
この発明によれば、計測データを複数の外部記憶媒体に逐次保存することが可能である。そのため、通信回線を使用しなければ受け渡すことができないような大きな計測データを、オフラインで受け渡すことができる。また外部記憶媒体の接続口が一つの場合に比べて、外部記憶媒体を交換する作業が減り、さらに、計測したデータの一部を削除してから保存するという作業を省くことができる。その結果、作業時間を短縮すること、作業効率を向上させることができる、という効果を奏する。
【発明を実施するための最良の形態】
【００１１】
以下に、本発明にかかるデータ計測装置の実施の形態を図面に基づいて詳細に説明する。なお、この実施の形態によりこの発明が限定されるものではない。
【００１２】
実施の形態１．
図１は、本発明の実施の形態１にかかるデータ計測装置１が適用される計測データ収集システムの構成を示す図である。図１において、計測データ収集システムは、主たる構成部として、計測対象２１の出力値１Ｄを採取するデータ計測装置１、データ処理を行う計算機で構成されるデータ収集装置２、およびデータ計測装置１とデータ収集装置２との間で授受される計測データ２Ｄを記憶する外部記憶媒体３を有して構成される。
【００１３】
計測対象２１は、例えば電源設備における監視対象の機器（以下「監視対象機器」という）であり、出力値１Ｄは、監視対象機器における例えば電圧や電流などの物理量（物理的状態値）である。外部記憶媒体３は、計測データ２Ｄを保存することができる、接続可能な記憶媒体であり、例えばメモリカード（ＵＳＢメモリ、ＳＤカード）やＣＤ−Ｒ等の書き込み可能な記憶媒体であればよい。出力値１Ｄは、計測対象２１から計測部４に取り込まれる電圧値などであり、計測データ２Ｄは、外部記憶媒体３を用いてデータ収集装置２に受け渡される計測データである。計測データ２Ｄは、データ計測装置１により外部記憶媒体３に保存された後に回収され、オフラインでデータ収集装置２に受け渡される。
【００１４】
次に、データ計測装置１の内部構成について説明する。データ計測装置１は、計測部４、接続制御設定部５、制御部６、記憶部７、およびデータ入出力部８（８ａ，８ｂ，・・・，８ｎ）を備えて構成される。
【００１５】
計測部４は、例えば電圧計や電流計などの計測器が使用され、複数の計測器を接続することも可能である。計測対象２１から出力される出力値１Ｄが、例えばＸＸ電圧、ＹＹ電流、ＺＺ電圧など複数ある場合でも、計測部４は、それらを同時に計測することができる。
【００１６】
制御部６は、計測データ２Ｄを、一時的に保存すべく、記憶部７に出力する。また、計測部４から得られた複数の計測データ２Ｄを、計測データ毎に表示すべく、接続制御設定部５に出力する。さらに、接続制御設定部５にて設定された設定値により、記憶部７に一時保存された計測データ２Ｄを、各データ入出力部８に出力する。なお、制御部６は、必要に応じて、前記複数の計測データ２Ｄの演算処理も行う。
【００１７】
記憶部７は、制御部６から得られた複数の計測データ２Ｄを一時的に保存する。
【００１８】
接続制御設定部５は、制御部６に接続されると共に、後述する表示部５ａおよび操作入力部５ｂを備えており、計測対象２１の計測状態を表示し、外部記憶媒体３の接続設定を行うこともできる。例えば、データ入出力部８に複数の外部記憶媒体３が接続されている場合であれば、各外部記憶媒体３の種類や記憶容量などを表示し、計測対象２１からの計測データ２Ｄを受信している場合には、計測中であるか否かの情報を表示し、その際、当該計測中のデータが例えば電圧なのか電流なのかの情報なども表示することができる。また、接続制御設定部５は、各外部記憶媒体３の接続を開放するか否かの指定や、計測対象２１を例えば電圧にするか電流にするかを指定することや、例えば後述するバックアップ指定をする場合においては、バックアップありにするか否かを指定することもできる。なお、接続制御設定部５の設置場所は限定されず、データ計測装置１と分離して配置してもよい。
【００１９】
データ入出力部８は、制御部６に接続されており、一または複数の外部記憶媒体３を接続できるインタフェース（物理的インタフェースおよび電気的インタフェース）を備えている。このため、データ入出力部８は、制御部６から送られてくる複数の計測データ２Ｄを各外部記憶媒体３に出力することができる。また、データ入出力部８は、データ収集装置２のプログラムや計測データをデータ計測装置１の制御部６に取り込むときにも使用する。
【００２０】
図２は、接続制御設定部５の一実施例を示す図である。接続制御設定部５には、液晶ディスプレイを用いた表示部５ａ、およびテンキーを用いた操作入力部５ｂが設けられている。操作入力部５ｂは、数値キー、数式キー、矢印キー、制御キーで構成されている。なお、本実施例では、表示部５ａと操作入力部５ｂとが分離して配置しているが、表示部５ａにタッチパネル式ディスプレイを用いるとともに、該画面上に操作入力部５ｂを表示し、該タッチパネル上で入力操作をできるようにしてもよい。
【００２１】
操作入力部５ｂ上の矢印キーは、表示部５ａ上に表示されているカーソルを移動するために使用する。制御キーは、“Enter”、“NumLock”、“PgUp”、 “PgDn”、“Home”、“End”、“Ins”、および“Del”で構成されている。“Enter”は、後述する手順により、外部記憶媒体３毎に、制御設定部１３、計測対象項目部１４、バックアップ指定部１５（以下「制御設定部１３など」という）に入力した値を確定するために使用する。
【００２２】
“NumLock”は、制御設定部１３などに所定の値を入力できる状態「数値入力モード」と、カーソルを移動できる状態「入力操作モード」とを切り替えるときに使用する。例えば、制御設定部１３に所定の値を入力した後、カーソルを移動する場合は“NumLock”を押し「入力操作モード」に切り替える。カーソルを所定の場所に移動した後に、再び所定の値を入力する場合は、“NumLock”を押して「数値入力モード」に切り替える。
【００２３】
図３は、表示部５ａの構成と表示例を示す図である。表示部５ａは、データ入出力番号部９、検出された機器部１０、計測の有無部１１、計測項目部１２、制御設定部１３、計測対象項目部１４、バックアップ指定部１５、全リセット部１６、入力モード部１７、設定部１８、メッセージ表示部１９、ガイダンス表示部２０で構成されている。
【００２４】
データ入出力番号部９の一つめの行は、外部記憶媒体３として２ＧＢの容量のメモリカードを使用し、ＸＸ電圧を計測中である。二つめの行は、ＹＹ電流を計測中である。三つめの行は、外部記憶媒体３は接続されているが、計測は行われていない状態である。四つめの行以降は外部記憶媒体３が接続されていない状態である。
【００２５】
データ入出力番号部９は、データ入出力部８に接続されている外部記憶媒体３の番号を表示している。検出された機器部１０は、外部記憶媒体３毎に、その種類や容量を表示している。計測の有無部１１は、外部記憶媒体３毎に、計測を行っているか否かを表示している。例えば、計測中なら「計測中」と、計測していないなら「未計測」と表示する。
【００２６】
計測項目部１２は、外部記憶媒体３毎に、何を計測しているのかを表示している。例えば、電圧を計測しているなら「電圧」と、電流を計測しているなら「電流」と表示する。
【００２７】
制御設定部１３は、外部記憶媒体３毎に、計測及び保存を開始又は中断する時に使用する。例えば、計測及び保存を開始するなら「１」を、中断するなら「０」を入力する。この０や１という値は、後述するガイダンス表示部２０に示されている。
【００２８】
計測対象項目部１４は、計測対象２１（電圧、電流等）を指定するために使用する。例えば、ＸＸ電圧を指定するなら「１」を、ＹＹ電流を指定するなら「２」を入力する。この値は、上述同様、ガイダンス表示部２０に示されている。
【００２９】
バックアップ指定部１５は、外部記憶媒体３毎に、バックアップデータを作成するときに使用する。例えば、一つめの外部記憶媒体３に計測データ２Ｄを保存中に、該計測データ２Ｄを二つめの外部記憶媒体３にも保存することが可能である。バックアップするならバックアップされる側のバックアップ指定部１５に「１」を入力し、バックアップしないなら何も入力しない。この値は、上述同様、ガイダンス表示部２０に示されている。
【００３０】
入力モード部１７は、制御設定部１３などに所定の値を入力するときに使用する。値の入力は、後述する手順により、入力モード部１７に「入力モード」という文字を表示してから行う。
【００３１】
設定部１８は、外部記憶媒体３毎に、計測及び保存を開始又は中断するときに使用する。開始するなら、制御設定部１３などに所定の値を入力し、後述する手順により、カーソルを設定部１８に合わせて“Enter”を押す。計測を中断する場合も同様である。なお、外部記憶媒体３毎に、計測を開始したり中断したりできるよう、制御設定部１３などの値を変更したときだけ、設定部１８の入力が有効になるようにしている。
【００３２】
メッセージ表示部１９には警告メッセージなどを表示することができる。図５はメッセージの一例である。例えば、外部記憶媒体３の容量が無くなる時期を予測し、該表示部１９にその時期を表示することができる。
【００３３】
ガイダンス表示部２０には、運用者の入力を支援するための情報を表示する。制御設定部１３などに入力する値を表示することが可能であり、図３にその一例を示している。たとえば、制御設定部１３では「０・・・開放、１・・・接続」の何れかの表示を、計測対象項目部１４には「１・・・ＸＸ電圧、２・・・ＹＹ電流」の何れかの表示を、バックアップ指定部１５には「１・・・バックアップ指定あり、入力なし・・・バックアップ指定なし」の何れかの表示を行うが、これらの表示項目に限定されるものではない。
【００３４】
全リセット部１６は、制御設定部１３などを使わずに、例えば計測中の状態から、計測を全てリセットする場合に使用する。全リセット部１６を押した場合、計測の有無部１１の表示は「計測中」から「未計測」、計測項目部１２の表示は、例えば「ＸＸ電圧」から「計測項目なし」の状態に変化する。
【００３５】
以下、データ入出力番号部９の三つめの行に外部記憶媒体３を接続して、該外部記憶媒体３に計測データ２Ｄを保存する場合の操作手順を説明する。
【００３６】
最初に、入力モード部１７は「入力モード」という文字が消えている状態である。操作入力部５ｂの矢印キーを操作し、入力モード部１７上にカーソルを合わせ、操作入力部５ｂ の“Enter”を押すと「入力モード」という文字が表示される。「入力モード」という文字が表示されると、カーソルが制御設定部１３の一つめの行に移動する。
【００３７】
次に、操作入力部５ｂの矢印キーを操作し、カーソルを三つめの行に移動する。制御設定部１３に値を入力するために、“NumLock”を押し数値入力モードに切り替える。所定の値を入力し“Enter”を押すとカーソルは右側の計測対象項目部１４に移動する。所定の値を入力し“Enter”を押すとカーソルは右側のバックアップ指定部１５に移動する。所定の値を入力し “Enter”を押す。
【００３８】
最後に、カーソルを設定部１８に移動し“Enter”を押すと、制御設定部１３などに入力した値が制御部６に取り込まれ、計測を開始する。計測を開始すると同時に、入力モード部１７は、「入力モード」という文字が消え、カーソルのみ点灯する。また計測の有無部１１の表示は「未計測」から「計測中」に変わり、計測項目部１２に計測項目が表示される。計測部４から取り込まれた計測データ２Ｄは、記憶部７に保存されるとともに、外部記憶媒体３に保存される。
【００３９】
データ入出力番号部９の三つめの計測を中断する場合は、上述の手順により「入力モード」という文字を表示させて、制御設定部１３にカーソル移動し”０“を入力する。カーソルを設定部１８に移動し“Enter”を押せばよい。
【００４０】
図４は、上述した手順を示すフローチャートである。データ計測装置１に電源を投入したとき、または全リセット部１６上にカーソルがあるときに“Enter”を押したとき、制御部６は、データ入出力部８に接続されている外部記憶媒体３を検出し（ステップＳ１０１）、検出された機器部１０に外部記憶媒体３を表示する（ステップＳ１０２）。カーソルが入力モード部１７上に移動され、“Enter”が押されると、制御部６は「数値入力モード」であると判断（ステップＳ１０３）し、カーソルを制御設定部１３の一つめの行に自動的に移動する（ステップＳ１０４）。制御設定部１３に所定の値を入力し“Enter”を押すと、制御部６は設定値を読み込み（ステップＳ１０５）、カーソルを右側の計測対象項目部１４に移動する（ステップＳ１０６）。計測対象項目部１４に所定の値を入力し、カーソルを設定部１８に移動して“Enter”を押す。制御部６は、設定部１８が押されたことを読み込み（ステップＳ１０７）、読み込む前の値と新たな値を比較し、外部記憶媒体３を「接続」するか「開放」するかを判断する（ステップＳ１０８）。
【００４１】
制御部６は、「開放」なら該当するデータ入出力部の計測を中断し、外部記憶媒体３を切り離す（ステップＳ１０９）。「接続」なら、計測を開始し、該当するデータ入出力部８の外部記憶媒体３に計測データ２Ｄを保存する（ステップＳ１１０）。計測を開始する操作が終わったので、入力モード部１７上に表示されている「入力モード」という文字を消し、カーソルのみ表示する（ステップＳ１１１）。そして、制御部６は、制御設定部１３などに所定の値を入力できない状態にする（ステップＳ１１２）。また、計測の有無部１１には「計測中」と表示し、計測項目部１２には所定の計測項目を表示する（ステップＳ１１３）。
【００４２】
以上の動作により、以下の具体例に示すような、計測データ２Ｄの逐次保存、同時保存、バックアップ保存を行うことが可能となる。
【００４３】
例えば、出力値１Ｄ（例えばＸＸ電圧）を複数の外部記憶媒体３（例えば二つ）に逐次自動保存する場合の流れは以下の通りである。データ入出力部８に外部記憶媒体３を二つ接続する。制御設定部１３に接続開始の値である「１」を入力する。計測対象項目部１４に同じ計測項目を入力する。例えば一つめの計測対象項目部１４に「ＸＸ電圧」と入力したら、二つめの計測対象項目部１４にも「ＸＸ電圧」と入力する。
【００４４】
この状態で計測が開始されると、計測部４は計測データ２Ｄを取得し、該計測データ２Ｄは制御部６に取り込まれる。該計測データ２Ｄは、制御部６を介して記憶部７に保存され、一つめの外部記憶媒体３に保存される。一つめの外部記憶媒体３の容量がなくなると、残りの計測データ２Ｄは、二つめの外部記憶媒体３に保存される。そのため、通信回線を使用しなければ受け渡すことができない大きな計測データ２Ｄを、外部記憶媒体３に保存することができる。また、外部記憶媒体３の接続口が一つの場合に比べて、外部記憶媒体３を何度も交換して計測データ２Ｄを保存するという作業や、計測データ２Ｄの一部を削除してから保存するという作業を省くこともできる。その結果、作業時間を短縮すること、操作ミスを低減すること、作業効率を向上させることができる。なお、外部記憶媒体８に逐次保存される計測データ２Ｄは、一つに限定されるものではない。また、外部記憶媒体８に逐次保存される動作は、一つめの外部記憶媒体３の保存容量が完全に無くなる前に行われてもよい。さらに、計測データ２Ｄを保存する外部記憶媒体８の位置は、任意に設定可能である。
【００４５】
また、数種類の出力値１Ｄ（例えばＸＸ電圧とＹＹ電流）を複数の外部記憶媒体３（例えば二つ）に同時保存する場合の流れは以下の通りである。データ入出力部８に、外部記憶媒体３を二つ接続する。制御設定部１３に接続開始の値である「１」を入力する。計測対象項目部１４は、例えば一つめの計測対象項目部１４には「ＸＸ電圧」と入力し、二つめの計測対象項目部１４には「ＹＹ電流」と入力する。
【００４６】
この状態で計測が開始されると、計測データ２Ｄは制御部６に取り込まれる。計測部４はＸＸ電圧とＹＹ電流を取得しているため、制御部６には、それらの計測データ２Ｄが同時に取り込まれる。各計測データ２Ｄは、制御部６を介して記憶部７に保存され、一つめの外部記憶媒体３と二つめの外部記憶媒体３に別々に保存される。なお、計測データ２Ｄを保存する外部記憶媒体８の位置は任意に設定可能である。
【００４７】
従来の計測装置は、外部記憶媒体３の接続口が一つなので、複数の計測データ２Ｄを保存するには、一つの計測データ２Ｄを計測する度に外部記憶媒体３を交換し、各計測データ２Ｄを保存しなければならなかった。しかし、本実施の形態にかかるデータ計測装置１によれば、そのような作業を省くことができる。その結果、作業時間を短縮すること、作業効率を向上させること、操作ミスを低減することができる。
【００４８】
さらに、計測データ２Ｄをバックアップ保存する場合の流れは以下の通りである。データ入出力部８に、例えば外部記憶媒体３を二つ接続する。制御設定部１３に接続開始の値である「１」を入力する。計測対象項目部１４に、上述同様に、同じ計測項目を入力する。さらに、バックアップ指定部１５に所定の値を入力する。
【００４９】
この状態で計測が開始されると、計測データ２Ｄは制御部６に取り込まれる。計測データ２Ｄは、制御部６を介して記憶部７に保存され、一つめの外部記憶媒体３と二つめの外部記憶媒体３に保存される。その結果、外部記憶媒体３を他の装置に移してからバックアップをとるという作業が省けるので、作業時間を短縮すること、作業効率を向上させることができる。なお、外部記憶媒体８に保存される計測データ２Ｄは一つに限定されるものではない。また、計測データ２Ｄを保存する外部記憶媒体８の位置は任意に設定可能である。
【００５０】
実施の形態２．
図６は、本発明の実施の形態２にかかるデータ計測装置１が適用される計測データ収集システムの構成を示す図である。実施の形態１は、データ入出力部８に外部記憶媒体３のみ接続したが、実施の形態２は、データ入出力部８の一部にプリンタ３ｐを接続することができる。
【００５１】
プリンタ３ｐは、データ入出力部８の任意の場所に接続可能である。プリンタ３ｐを接続すると、運用者は、データ計測装置１を操作した記録を持ち帰ることができるため、どれくらいの周期で計測データ２Ｄを回収すればよいかを判断し易くなる。その結果、実施の形態１に比べ、計測データ２Ｄの取りこぼしや無駄な回収作業を減らせるため、作業効率を上げることができる。
【００５２】
実施の形態３．
図７は、本発明の実施の形態３にかかるデータ計測装置１が適用される計測データ収集システムの構成を示す図である。実施の形態１は、データ入出力部８に外部記憶媒体３のみ接続したが、実施の形態３は、データ入出力部８の一部に、通信網２２に接続可能なモデム３ｍを接続することができる。通信網は、公衆網やＬＡＮなどの通信網を示し、有線、無線を問わない。
【００５３】
モデム３ｍは、データ入出力部８の任意の場所に接続可能である。モデム３ｍを接続した場合、データ計測装置１は、データ計測装置１が異常を検出すると、例えば制御部６、記憶部７、外部記憶媒体３などに登録された連絡先（運用者が駐在する場所の電話２３やＦＡＸ２４など）に発呼し、警報メッセージなどを送信することができる。その結果、例えば、公衆網に接続した場合、実施の形態１にわずかな運用費を加えるだけで、計測の信頼性を高め、作業効率を上げることができる。また、既存のＬＡＮに接続した場合、公衆網に接続した場合よりも低廉な費用で、同様の効果を得ることができる。
【図面の簡単な説明】
【００５４】
【図１】本発明の実施の形態１にかかるデータ計測装置１が適用される計測データ収集システムの構成を示す図である。
【図２】接続制御設定部の一実施例を示す図である。
【図３】表示部の構成と表示例を示す図である。
【図４】接続制御設定に関するフローチャートである。
【図５】接続制御設定時に表示部に表示されるメッセージの一例を示す図である。
【図６】本発明の実施の形態２にかかるデータ計測装置１が適用される計測データ収集システムの構成を示す図である。
【図７】本発明の実施の形態３にかかるデータ計測装置１が適用される計測データ収集システムの構成を示す図である。
【符号の説明】
【００５５】
１  データ計測装置
２  データ収集装置
３  外部記憶媒体
３ｐ  プリンタ
３ｍ  モデム
４  計測部
５  接続制御設定部
５ａ  表示部
５ｂ  操作入力部
６  制御部
７  記憶部
８  データ入出力部
９  データ入出力番号部
１０  検出された機器部
１１  計測の有無部
１２  計測項目部
１３  制御設定部
１４  計測対象項目部
１５  バックアップ指定部
１６  全リセット部
１７  入力モード部
１８  設定部
１９  メッセージ表示部
２０  ガイダンス表示部
２１  計測対象
２２  通信網
２３  電話
２４  ＦＡＸ
１Ｄ  計測部４に取り込まれる計測対象の出力値
２Ｄ  オフラインで受け渡される計測データ
【図１】
2009253897.tif 000003
【図２】
2009253897.tif 000004
【図３】
2009253897.tif 000005
【図４】
2009253897.tif 000006
【図５】
2009253897.tif 000007
【図６】
2009253897.tif 000008
【図７】
2009253897.tif 000009